(57)【要約】 【課題】アラーム時間を表示するアラーム付き時計を提供する。【解決手段】第１文字板上に搭載される第１の時針（１７）と第１の分針（１３）とを有する時間表示手段を駆動する機構と、各２４時間毎に手動で決められた所定のアラーム時間にアラームを解放するアラーム機構と、所定のアラーム時間を表示するアラーム時間表示手段とを有し、前記アラーム時間表示手段は、２４時間でアラーム時間を表示する第２の時針（３３）と、前記アラーム時間が真夜中から真昼にかけての時間帯、又は真昼から真夜中にかけての時間帯に含まれるかを特定する２カ所の場所を具備するインディケータ（５２）とを有する。【選択図】図３
2008122379.tif 000002
【特許請求の範囲】
【請求項１】
（Ａ）  第１文字板上に搭載される第１の時針（１７）と第１の分針（１３）とを有する時間表示手段を駆動する機構と、
（Ｂ）  各２４時間毎に手動で決められた所定のアラーム時間にアラームを解放するアラーム機構と、
（Ｃ）  所定のアラーム時間を表示するアラーム時間表示手段と
を有し、
前記アラーム時間表示手段は、
（Ｃ１）  ２４時間でアラーム時間を表示する第２の時針（３３）と、
（Ｃ２）  前記アラーム時間が真夜中から真昼にかけての時間帯、又は真昼から真夜中にかけての時間帯に含まれるかを特定する２カ所の場所を具備するインディケータ（５２）と
を有する
ことを特徴とするアラーム付き時計。
【請求項２】
前記アラーム時間表示手段は、第２の分針（３５）を有する
ことを特徴とする請求項１記載の時計。
【請求項３】
前記第２の時針（３３）は、第２の文字板上方に搭載される
ことを特徴とする請求項２記載の時計。
【請求項４】
前記アラーム機構は、解放歯車（２６）を有し、
前記解放歯車（２６）の１回転は、アラーム時間による２４時間サイクルの移動に対応し、
前記第２の時針（３３）は、前記解放歯車（２６）の１回転は前記第２の分針（３５）の２回転に対応するよう、前記解放歯車（２６）に機構的に結合される
ことを特徴とする請求項１，２あるいは３に記載の時計。
【請求項５】
（Ｄ）  前記解放歯車（２６）に固定されるＡＭ／ＰＭカム（４４）と、
（Ｅ）  前記ＡＭ／ＰＭカム（４４）と協働するレバー（４８）と
を更に有し、
前記ＡＭ／ＰＭカム（４４）は、異なる直径の半円形を有する２個の半円部分（４４ａ，４４ｂ）を有し、
前記ＡＭ／ＰＭカム（４４）は、前記解放歯車（２６）に、前記第２の時針（３３）の１２時間の位置は、前記レバー（４８）が前記半分部分の結合部により形成される２個の側壁（４５，４６）の一方あるいは他方に当たる時に一致する
ことを特徴とする請求項４記載の時計。
【発明の詳細な説明】
【技術分野】
【０００１】
本発明は、２４時間に渡ってアラーム時間を表示する機構を有する機械式アラーム付き時計に関し、特にこの様なアラーム時間表示機構に関する。
【背景技術】
【０００２】
アラーム機能とアラーム時間表示機構を具備する時計は公知である。これらの時計の大部分は、１２時間毎に解放される打鈴機構を有し、その打鈴（アラーム）時間は追加された指針により示される。このアラーム時間は、時間設定ステム（軸）を用いて文字板上で追加された指針を移動させることにより、設定される。この様な時計の欠点は、アラーム時間の設定は１２時間を超えてはできない点にある。
【０００３】
【特許文献１】イギリス特許第１３９７９８２号明細書
【特許文献２】スイス特許第５１０９０６号明細書
【特許文献３】スイス特許第２６１６７６号明細書
【０００４】
特許文献１は、アラーム時間を２４時間に渡って予め設定できるアラーム機構を具備する時計を開示する。この時計の文字板は、文字板の円周を２４時間に分割する更なるスケールを有する。アラーム用の指針は、このスケールと共に働き所定のアラーム時間を示す。かくして最大２４時間まで打鈴設定（アラーム時間を予め設定）することが可能となる。この従来技術の解決方法には欠点がある。文字板を１２時間ではなく２４時間に分割することは、通常行われれていることではなく混乱を招く。この様な状態において、アラーム時間を間違って読み取ることにより操作上のエラーが発生しうる。更に多くの区分を有する文字板に１本の指針でアラーム時間を示すことは、アラーム時間の設定を間違える原因である。
【０００５】
特許文献２は、２４時間表示の文字板を用いる時計のアラーム指示と解放装置を開示するが、これも２４時間毎の解放である。この特徴は、カムが打鈴作業を活性化するために、１２時間毎に間欠的に動くことにより、即ち２回に１回しか打鈴機構を駆動させないようにすることにより、行われる。文字板を通して見える着色マークは、打鈴作業が現在の１２時間で解放されるか次の１２時間で解放されるかを示す。この従来技術による解決方法は、上記の問題の一部を解決する。しかし着色マークの意味は新たなユーザには必ずしも明らかではない。あるユーザはインストラクションを読まずにアラーム時間を設定できるか疑わしい。
【発明の開示】
【発明が解決しようとする課題】
【０００６】
本発明の目的は、最大２４時間まで予め設定可能でかつできるだけ読みやすいアラーム時間表示装置を有するアラーム付き時計を提供することである。
【０００７】
本発明の他の目的は、アラーム時間を高い精度で設定できるアラーム機構を提供することである。
【課題を解決するための手段】
【０００８】
本発明は、請求項１記載のアラーム時間を提供する。
【０００９】
本発明の利点は、アラーム時間表示手段は従来の２４時間表示を含む。この表示は読みやすくアラーム時間を設定する際の誤動作のリスクを抑える。更に時針に加えて分針を用いてアラーム時間を選択（設定）することにより、アラーム時間をより正確に設定できる。
【００１０】
本発明の他の利点は、特許文献２に開示された現在の１２時間と次の１２時間の区別とは異なり、午前中の時間と午後の時間との間の区別が、容易に理解できる通常の区別となる利点を利用できることである。
【００１１】
現在の時刻が、真夜中から真昼にかけての時間帯（ＡＭ）に含まれるか、真昼から真夜中にかけての時間帯（ＰＭ）に含まれるかを示すことよる１２時間表示を用いて、２４時間を表示すること自体は新規ではない。しかしこれらの時刻表示は、現在の時刻表示に関するものであり、アラーム時間表示に関するものではない。更にこれらのＡＭ／ＰＭの現在の時刻表示は通常冗長である考えられている。その理由は、時計の装着者は、昼と夜を区別するために現在の時刻を見ることはないからである。更にＡＭ／ＰＭの表示機構で、１２時間表示で現在の時刻を表示することは、時計に必要なエネルギーを増加させることになる。上記のことを踏まえると、当業者はＡＭ／ＰＭ表示に対する好ましくない偏見を持っていることは明らかである。
【００１２】
上記のＡＭ／ＰＭ表示で述べた全ての欠点は、本発明の表示でアラーム時間を表示することにより無くなる。上記の記述によれば、２４時間で時間を選択できる可能性は、関連する時間がアラーム時間に関する限り、利点を有する。更にアラーム時間は、静的な表示であり、時計の装着者が新たなアラーム時間を選択する時のみ変わる。かくして本発明のアラーム時間表示機構は、時計のムーブメントにより駆動されない。その結果、本発明の機構は機械的エネルギーを使うことはない。
【発明を実施するための最良の形態】
【００１３】
本発明の一実施例によれば、本発明の機構を組み込んだ時計は、少なくとも２個の文字板を有する。これらの文字板の一方はアラーム時間表示用であり、他方は現在の時刻表示用である。
【実施例】
【００１４】
図１に従来技術に関わるアラーム機構を説明する。
【００１５】
図１のムーブメントは底部プレート１０を有する。この底部プレート１０に分歯車パイプ（分ピニオン）１２と時間歯車パイプ１６と中央軸１８が、同軸で取り付けられ、回転する。これら同軸の真１２，１６，１８は、それぞれ分針１３と時針１７と秒針１９を搭載する。これらの指針１３，１７，１９は、２４時間表示の文字板（図示せず）上で通常通りの時間を表示する。これらの指針は当業者に公知の方法でムーブメントにより駆動される。図１は、歯車１１とピニオン１４により形成される日の裏装置のみを示す。歯車１１とピニオン１４は、分歯車パイプ（分ピニオン）１２と時間歯車１５にそれぞれ機構的に接続される。
【００１６】
本発明の時計は、更に打鈴機構（図示せず）と解放機構とを有する。この機構はピニオン２１を有する。このピニオン２１は、日の裏装置のピニオン１４と同軸で駆動され、時間歯車パイプ１６上に自由に搭載された歯車２２と噛み合う。ギア比率は、ムーブメントが歯車２２を２４時間に１回転するよう選択される。図１から分かるように、歯車２２は時間歯車１５により支持されている。スプリング（図示せず）により巻かれる打鈴機構解放トリガ２３は、時間歯車１５の底面に当たり、時間歯車１５を上方に押し、そして歯車２２も上方に押す。
【００１７】
「２４時間」歯車２２のプレートは、突起部２４を３個有する。これら３個の突起部２４は、歯車２２の中心から異なる半径距離に配置され互いにある角度でずれている。解放機構は解放歯車２６を有する。この解放歯車２６は、指針の真に摩擦作用で搭載され、歯車２２と同軸である。解放歯車２６のパイプはアラーム時間指針２９を搭載する。このアラーム時間指針２９は、文字板の周囲を２４時間の時間周期を規定する追加的表示（図示せず）に適合する。
【００１８】
本発明のアラーム付き時計は、時間を設定しアラーム時間針２９を動かす為の巻き上げ／時間設定ステム（図示せず）を有する。時間設定機能とアラーム指針駆動機能の間の切り換えはプッシュボタン（図示せず）を用いて行われる。その機能は、解放歯車２６をスライド・ピニオンにより駆動される中間歯車と噛み合わせることである。この種の機構は特許文献３に開示されている。この機構により、時計の装着者は、巻き上げ／時間設定ステムを回転させることにより、解放歯車２６を回転させる。かくして時計の装着者は、アラーム時間針２９を所望のアラーム時間に対応する位置に動かすことができる。
【００１９】
図１の解放機構を次に説明する。解放歯車２６のプレートには３個の開口２５が形成されている。これらの３個の開口２５は「２４時間」歯車２２の３本のラグと協働する（嵌る）。打鈴解放トリガ２３は、歯車２２を解放歯車２６に常時押しつけている。これらが回転するとアラームを設定した時間で、歯車２２の３本の突起部２４は開口２５に対向して動く。この構成において、２４時間に１度発生することであるが、突起部２４は開口２５内に入り込み、これにより「２４時間」歯車２２は解放歯車２６に当たって押される。打鈴解放トリガ２３が押すことにより、時間歯車１５は、「２４時間」歯車２２を回転運動に付随させ、これにより打鈴作業を解放する。
【００２０】
図２は本発明の第１実施例の部分断面図である。この第１実施例において、現在の時間表示機構と打鈴機能解放機構とは図１のそれとは同一である。これらの機構に関連する図２の部分は図１から取り出したものである。特に図１，２に示した参照番号１０−２６は同一である。これらの要素の機能の説明はそれ故に割愛する。
【００２１】
図１に示すアラーム付き時計において、解放歯車２６のパイプは、２４時間の時間サイクルと協働するアラーム時間針２９を搭載する。図２の実施例においては、アラーム時間針２９は本発明のアラーム時間表示機構３０で置換される。このアラーム時間表示機構３０は、第２時歯車パイプ３２と第２分歯車パイプ３４とを有し、分針１３，時針１７，秒針１９がその上を回転する文字板に対し中心がずれた軸の周囲を同軸に回転する。第２歯車パイプ３２，３４は、それぞれ時針３３と分針３５とを搭載し、第２の１２時間の文字板（図示せず）上でアラーム時間を示す。
【００２２】
従来公知のように、時針３３と分針３５とは、分針３５が時針３３の１回転に対し正確に１２回転するよう、図２の裏装置により機構学的に結合される。図２によれば、日の裏装置は、歯車３８と関連ピニオン３７とを有し、それらはそれぞれ分ピニオン３９と時間歯車パイプ３６と噛み合う。図２によれば、歯車４１と関連ピニオン４２から形成されるホイールセットは、解放歯車２６を歯車３８に接続する。かくしてアラーム用の時針３３と分針３５は、解放歯車２６に機構学的に結合される。このギア比率は、時針３３が解放歯車２６の１回転に対し正確に１２回転するよう設定される。かくして時計の装着者が巻き上げ／時間設定ステム（図示せず）を駆動することにより、解放歯車を回転させ、アラーム用の指針３３、３５を回転させる。打鈴作業が解放される（即ちトリガーされる）時間を変化させることにより、時計の装着者は、指針により表示されるアラーム時間を変えることができる。この特徴により表示されたアラーム時間と実際の打鈴作業解放時間との間の不一致のリスクを回避できる。かくして上記の歯車構成は、解放歯車２６，時針３３，分針３５が一致するよう適切に設定しなければならない。
【００２３】
図３は、解放歯車２６と関連ピニオン４２と歯車４１の斜視図であり、これらはアラーム時間表示用の指針３３，３５に接続される。解放歯車２６は、ＡＭ／ＰＭカム４４を搭載する。図から分かるように、ＡＭ／ＰＭカム４４は、異なる半径の半円のプロファイルの２個の半円部分４４ａ，４４ｂを接続することにより形成される。２個の半分部分４４ａと４４ｂの間の接合部において、カムのプロファイルは側壁４５，４６を有する。レバー４８は、ＡＭ／ＰＭカム４４と噛み合う。このレバー４８は、水平アーム４９と垂直ピボット５０から形成される。垂直ピボット５０の上部端は、文字板（図示せず）から突出しＡＭ／ＰＭ針５２を搭載する。図３は、レバー４８をＡＭ／ＰＭカム４４の制御面に戻すようなスプリングを示す。
【００２４】
ＡＭ／ＰＭカム４４は、ＡＭ／ＰＭカム４４の１回転が時針３３の２回転に相当するよう、解放歯車２６に固定結合される。この様な状態において、側壁４５，４６は、互いに半回転離れているので、レバー４８は、時針３３の１回転につき１回側壁４５，４６の一方に当たる。かくしてＡＭ／ＰＭカム４４は、解放歯車２６にある角度で搭載されるが、その結果レバー４８が側壁４５，４６の一方に当たることは、常に１２時における時針３３と分針３５の重なり合いに一致する。レバー４８により搭載されるＡＭ／ＰＭ針５２は、時針３３と分針３５により表示されるアラーム時間が真夜中と真昼の間（ＡＭ）又は真昼と真夜中の間（ＰＭ）にあるかを示す。それ故にＡＭ／ＰＭ針５２は、レバー４８が側壁４５、４６の一方に当たる毎に、ある表示から別の表示に切り替わる。
【００２５】
上記したＡＭ／ＰＭモードの２４時間アラーム時間表示機構は、時計のムーブメントにより駆動されない静的表示である。この様な状態において、２４時間アラーム時間表示機構が存在しても、パワー・リザーブに悪影響を及ぼすことはない。
【００２６】
上記した実施例において、解放機構は特許文献１に開示したような機構である。しかし様々な変形例及び改善は本明細書を参照することにより当業者により容易に実行できる。特に「２４時間」歯車２２と解放歯車２６の協働作業は、これら２枚のホイールを軸方向に互いに押しつけることにより必ずしも得る必要はない。当業者は、２枚のホイールはカム型の機構を介して協働できることを容易に相当できる。この場合、ホイールの一方の周囲にノッチが搭載され、他方のホイールはある種のカムフォロア（cam follower）を搭載する。
【００２７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２８】
【図１】特許文献１の図２に対応する従来のアラーム付き時計の輪列の部分断面図。
【図２】本発明の一実施例のアラーム付き時計の輪列の部分断面図。
【図３】図２のアラーム付き時計のＡＭ／ＰＭ機構と解放ホイールを示す展開斜視図。
【符号の説明】
【００２９】
１０   底部プレート
１１    歯車
１２    分歯車パイプ（分ピニオン）
１３    分針
１４    ピニオン
１５    時間歯車
１６    時間歯車パイプ
１７    時針
１８    中央軸
１９    秒針
２１    ピニオン
２２    歯車
２３    打鈴解放トリガ
２４    突起部
２５    開口
２６    解放歯車
２９    アラーム時間針
３０    アラーム時間表示機構
３２    第２時間歯車パイプ
３３    時針
３４    第２時間歯車パイプ
３５    分針
３６    時間歯車パイプ
３７    関連ピニオン
３８    歯車
３９    分ピニオン
４１    歯車
４２    関連ピニオン
４４    ＡＭ／ＰＭカム
４４ａ，４４ｂ    ハーフ
４５，４６    遷移フランク
４８    レバー
４９    水平アーム
５０    垂直ピボット
５２，５５    ＡＭ／ＰＭ針
５３    スプリング
【図１】
2008122379.tif 000003
【図２】
2008122379.tif 000004
【図３】
2008122379.tif 000005
【外国語明細書】
2008122379000001.pdf